(57)【要約】【課題】かきあげ等の揚げ物を、効率よく短時間に、しかも、全体をきれいに揚げることのできる揚げ物用調理器具を提供する。【解決手段】周囲に枠部６を設けてなる受け皿部１を３つ一直線上に水平に並べ、それぞれの受け皿部１から垂直上方に支柱２を立設し、各支柱２，２，２間を連結部材３で連結するとともに、中央の支柱２に取っ手４を設けてなり、各受け皿部１，１，１には多数の貫通孔７を設ける。さらに、連結部材３または支柱２のいずれかの後ろと受け皿部１の後ろに、フライヤー１０の油槽１１の内壁１１ａに当接させて自身の姿勢を安定させる上側当接板８、下側当接板９を設ける。【選択図】図１
0003111024.tif 000002
【実用新案登録請求の範囲】
【請求項１】
周囲に枠部を設けてなる３つの受け皿部を一直線上に水平に並べ、それぞれの受け皿部から垂直上方に支柱を立設し、各支柱間を連結部材で連結するとともに、中央の支柱に取っ手を設けてなり、各受け皿部には多数の貫通孔を設けたことを特徴とする揚げ物用調理器具。
【請求項２】
連結部材または支柱のいずれかの後ろと受け皿部の後ろに、フライヤーの油槽の内壁に当接させて自身の姿勢を安定させる当接板を設けたことを特徴とする請求項１記載の揚げ物用調理器具。
【請求項３】
連結部材の、中央の支柱の両脇に位置する部分をそれぞれ水平軸回りに屈曲可能としたことを特徴とする請求項１または請求項２記載の揚げ物用調理器具。
【請求項４】
中央の支柱の取っ手を、連結部材の両端側に設けて、両手で連結部材を水平軸回りに屈曲自在な構成としたことを特徴とする請求項３記載の揚げ物用調理器具。
【考案の詳細な説明】
【技術分野】
【０００１】
本考案は、かきあげ等の揚げ物を、効率よく短時間に、きれいに揚げることのできる揚げ物用調理器具に関する。
【背景技術】
【０００２】
従来より、フライ、てんぷら、かき揚げ等の揚げ物に使用するフライヤーが知られている（特許文献１）。このフライヤーは、油槽の中に平網またはパンチング板が配置されるとともに必要に応じててんぷら板が配置され、油槽の中で揚げた揚げ物を油槽の側部の油切り用のトレーに取り上げ、油切りをするようにしている。
【０００３】
このようなフライヤーで作るかき揚げ等は、かき揚げ等の材料を下ごしらえしたものを適当な形・大きさに整えて、お玉や揚げ物用の調理器具の受け皿に載せ、そのまま油槽に入れて、適当な時間を見計らい、いったん油槽内から取り上げ、再度ひっくり返した状態で油槽内に入れ、表面を仕上げてから、トレーに取り上げるようにしている。
【０００４】
【特許文献１】実開平７−２４２３５号公報
【考案の開示】
【考案が解決しようとする課題】
【０００５】
しかしながら、１つずつ揚げるのでは効率が悪く、短時間で大量の揚げ物を作ることができない。また、受け皿に載せた下ごしらえ材料は表側は油がよく回り、早く揚がるが、受け皿側に接する裏側は油が回りにくいので、揚がりが遅く、そのため油槽内に長く時間を置く必要があり、効率を悪くする要因となっている。しかも、時間をかけるので、裏側と比べ表側が焦げやすく、表側裏側をまんべんなくきれいに揚げるのが難しいという問題がある。
【０００６】
本考案は上記問題点に鑑みてなされたもので、かきあげ等の揚げ物を、効率よく短時間に、しかも、全体をきれいに揚げることのできる揚げ物用調理器具を提供することを目的とする。
【０００７】
また、油槽内における自身の姿勢を安定させることのできる揚げ物用調理器具を提供することを目的とする。
【０００８】
さらに、油槽の大きさの異なるフライヤーのそれぞれに使用することのできる揚げ物用調理器具を提供することを目的とする。
【課題を解決するための手段】
【０００９】
上記課題を解決するために、本考案の請求項１に係る揚げ物用調理器具は、周囲に枠部を設けてなる３つの受け皿部を一直線上に水平に並べ、それぞれの受け皿部から垂直上方に支柱を立設し、各支柱間を連結部材で連結するとともに、中央の支柱に取っ手を設けてなり、各受け皿部には多数の貫通孔を設けたことを特徴とする。
【００１０】
一直線上に並べた３つの受け皿部のそれぞれにかき揚げ等の下ごしらえ材料を適当な大きさ・形に整えたものを載せて、同時に３つの揚げ物を作ることができる。受け皿部の周囲の枠部により、下ごしらえ材料を受け皿部に安定して保持し、移動中の落下を防ぐことができる。
【００１１】
油槽に入れると、油が受け皿部の多数の貫通孔を通して下ごしらえ材料の裏側に回るので、下ごしらえ材料の裏側が効率よく揚がる。このとき、貫通孔を下から上に通る油の流れが下ごしらえ材料の裏側を押し上げるから、下ごしらえ材料の裏側に油がよく回るとともに、下ごしらえ材料が受け皿部からすぐに浮き上がり、下ごしらえ材料の全体が油槽の中で均一に素早く揚がる。
【００１２】
揚げ物用調理器具は、油槽中で下ごしらえ材料が受け皿部から離れると、直ちに次のかき揚げ等を作るべく、次の作業に移ることができる。すなわち、再び、３つの受け皿部のそれぞれにかき揚げ等の下ごしらえ材料を適当な大きさ・形に整えたものを載せて、油槽に入れればよい。揚げ物の作業を効率よく行うことができる。
【００１３】
油槽中で揚げられたかき揚げ等は、把持具で把持し、フライヤーの側部の油切り用トレーに置けばよい。
【００１４】
本考案の揚げ物用調理器具に適用できる揚げ物としては、かき揚げが好適である。その他、受け皿部に載るものであれば、フライ、てんぷらなどにも適用可能である。
【００１５】
本考案の請求項２に係る揚げ物用調理器具は、連結部材または支柱のいずれかの後ろと受け皿部の後ろとに、フライヤーの油槽の内壁に当接させて自身の姿勢を安定させる当接板を設けるようにしたことを特徴とする。
【００１６】
フライヤーの油槽内に入れた状態で、フライヤーの油槽の内壁に当接板を当接させることで、油槽内の姿勢を安定させることができる。これにより、揚げ中に油の圧力を下から受けても安定した姿勢で揚げることができる。
【００１７】
本考案の請求項３に係る揚げ物用調理器具は、連結部材の、中央の支柱の両脇に位置する部分をそれぞれ水平軸回りに屈曲可能としたことを特徴とする。
【００１８】
連結部材を中央の支柱の両脇で水平軸回りに屈曲させることで、３つの受け皿部が一直線に並ぶ通常の使用状態から、外側の２つの受け皿部を手前に寄せて全体をコンパクトにした状態に変更することができる。これにより、油槽の大きさ（幅寸法）の大小に合わせて、適宜サイズを変更することができ、油槽の大きさの異なる複数のフライヤーに本器具を使用することができる。
【００１９】
本考案の請求項４に係る揚げ物用調理器具は、中央の支柱の取っ手を、連結部材の両端側に設けて、両手で連結部材を水平軸回りに屈曲自在としたことを特徴とする。  
【００２０】
両手で自在に揚げ物用調理器具の３連の受け皿部を一列に並べたり、外側の２つの受け皿部を手前に寄せたりすることができる。
【考案の効果】
【００２１】
以上説明したように、本考案の揚げ物用調理器具によると、かきあげ等の揚げ物を、効率よく短時間に、しかも、揚げ物の全体をきれいに揚げることができる効果を奏する。
【００２２】
また、連結部材を水平軸回りに屈曲可能とすることで、油槽の大きさの異なるフライヤーのそれぞれに使用することができる効果を奏する。
【考案を実施するための最良の形態】
【００２３】
本考案を実施するための最良の形態を説明する。図１ないし図４は本考案の第１の実施例を示すもので、図１に示すように、本考案の揚げ物用調理器具は、一直線上に並ぶ３つの受け皿部１，１，１と、各支柱２，２，２と、支柱間を連結する連結部材３と、取っ手４とから構成される。
【００２４】
各受け皿部１は、円板からなる皿部５と、皿部５の周囲に設けられた枠部６とからなり、皿部５には上下方向に貫通する多数の貫通孔７，７・・・が設けられている。また、各受け皿部１の背面には前記の支柱２が立設し、受け皿部１の枠部６に支柱２の下端部が溶接またはリベット等の手段により取付固定されている。
【００２５】
３つの受け皿部１が一直線上に等間隔で並んだ状態で、それぞれの支柱２，２，２の各上端に水平方向に延びる前記の連結部材３が溶接またはリベット等の手段により連結固定されている。また、３つの支柱２のうち、中央に位置する支柱２の上端に木製からなる前記の取っ手４が取付固定されている。
【００２６】
図２に示すように、中央の支柱２の後ろで連結部材３の背面には水平姿勢で後方に延びる上側当接板８が取付固定されている。同じく、中央の支柱２の下端背面には水平姿勢で後方に延びる下側当接板９が取付固定されている。これら上側当接板８、下側当接板９は、図４に示すように、油槽の内壁にそれぞれを当接させて、揚げの作業時に油槽内で調理器具の姿勢を安定保持する役目を果す。
【００２７】
次ぎに、以上のように構成された揚げ物用調理器具の使用方法を説明する。
【００２８】
図３は揚げ物用のフライヤー１０を示している。フライヤー１０には油槽１１が設けられ、油槽１１の側部には油切り用のトレー１２が設けられている。図３に示すフライヤー１０に本考案に係る揚げ物用調理器具を使ってかき揚げを揚げるには、まず、フライヤー１０の手前の作業位置で、かき揚げの下ごしらえ済みの材料を適当な大きさ・形に整え、本考案の揚げ物用調理器具の３つの受け皿部１，１，１に順次載せる。
【００２９】
フライヤー１０の手前から、図４に示すように、油槽１１の奥方の内壁１１ａに沿って各受け皿部１，１，１を水平姿勢のまま油槽１１内の網１３の上に降ろす。各受け皿部１，１，１の上のかき揚げ材料Ｍは、表側に油が回ると同時に、裏側にも受け皿部１の多数の貫通孔７を下から上に通過する油が回り、速やかに揚がる。このとき、貫通孔７を下から上に通る油の流れが材料Ｍの裏側を押し上げ、材料Ｍの裏側に油がよく回るとともに、材料Ｍが各受け皿部１からすぐに浮き上がり、材料Ｍの全体が油槽の中で均一に素早く揚がる。
【００３０】
材料Ｍがすぐに浮き上がるので、直ちに次のかき揚げを作るべく、揚げ物用調理器具をフライヤー１０の手前に戻し、再び、各受け皿部１に材料Ｍを適当な大きさ・形に整えたものを載せて、油槽１１に入れる。
【００３１】
その間、油槽１１内でできあがり後のかき揚げは、頃合を見て、把持具で裏返して焦げ目をきれいに付ける等した後、取り上げ、油切り用のトレー１２に移し、油切りをする。
【００３２】
後は、上記した作業を繰り返すことで、効率よく短時間に、しかも、全体をきれいに揚げたかき揚げをつくることができる。
【００３３】
図５は本考案の揚げ物用調理器具の第２の実施形態を示すもので、上記の第１の実施形態で示す揚げ物用調理器具と同一の部材には同一の符号を付して説明を省略する。
【００３４】
図５に示す揚げ物用調理器具は、連結部材３の、中央の支柱２の両脇に位置する部分３ａ，３ａをそれぞれ丁番等の連結回動手段１４を介して水平軸回りに屈曲可能としたものである。連結部材３の両端はさらに屈曲して取っ手４がそれぞれ設けられている。
【００３５】
図５に示す揚げ物用調理器具は、図５の点線に示す、開いた状態（３つの受け皿部１，１，１がそれぞれ一直線上に並ぶ状態）から、両端の取っ手４，４を両手でもって手前に寄せれば、図５の実線で示すように、連結回動手段１４，１４を介して連結手段が水平軸回りに屈曲し、外側の受け皿部１，１が手前に寄るから、油槽１１の幅の狭いタイプのフライヤーにも対応することができるようになる。
【産業上の利用可能性】
【００３６】
本考案の揚げ物用調理器具は、業務用フライヤーや家庭用揚げ物鍋に使用する調理器具として広く利用することができる。
【図面の簡単な説明】
【００３７】
【図１】本考案の揚げ物用調理器具を示す図、
【図２】同揚げ物用調理器具を示す側面図、
【図３】同揚げ物用調理器具が使われるフライヤーを示す斜視図、
【図４】同揚げ物用調理器具の使用方法を示す図、
【図５】本考案の揚げ物用調理器具の第２の実施形態を示す平面図である。
【符号の説明】
【００３８】
１  受け皿部
２  支持部
３  連結部材
４  取っ手
６  枠部
７  貫通孔
８  上側当接板
９  下側当接板
１０  フライヤー
１１  油槽
１１ａ  内壁
１２  トレー
１３  網
１４  連結回動手段
【図１】
0003111024.tif 000003
【図２】
0003111024.tif 000004
【図３】
0003111024.tif 000005
【図４】
0003111024.tif 000006
【図５】
0003111024.tif 000007
【手続補正書】
【提出日】平成17年4月8日(2005.4.8)
【手続補正１】
【補正対象書類名】明細書
【補正対象項目名】００３８
【補正方法】変更
【補正の内容】
【００３８】
１  受け皿部
２  支柱
３  連結部材
３ａ 支柱の両脇に位置する部分
４  取っ手
５ 皿部
６  枠部
７  貫通孔
８  上側当接板
９  下側当接板
１０  フライヤー
１１  油槽
１１ａ  内壁
１２  トレー
１３  網
１４  連結回動手段
Ｍ 材料